(57)【特許請求の範囲】
【請求項１】
遮断器を集合して取り付けた基板を内部に収容し前面が開口したボックスと，前記ボックスの前面に螺着される前面枠と，前記前面枠に回動自在に軸支されるドアと，を備えた分電盤において，
前記ボックスに被係合部が形成されるとともに前記前面枠には係合部が一体に形成され，
前記ボックスに前記前面枠を螺着する際に，前記被係合部及び前記係合部が互いに対応して該ボックスに前面枠を一時的に保持させる仮保持手段が備えられたことを特徴とする分電盤。
【請求項２】
前記仮保持手段は，前記ボックスに設けられた被係合部と，前記前面枠に設けられた係合部とを前記前面枠の自重で互いに掛合わせる掛合部により形成されたことを特徴とする請求項１記載の分電盤。
【請求項３】
前記仮保持手段は，前記ボックスに設けられた被係合部と該被係合部に嵌め込み係合される前記前面枠に設けられた弾性部材からなる嵌め込み部とからなる嵌め合い部により形成されたことを特徴とする請求項１記載の分電盤。
【発明の詳細な説明】
【技術分野】
【０００１】
本発明は，ボックスに前面枠を取付ける際に，該前面枠を該ボックスに一時的に仮保持させる仮保持手段を備えた分電盤に関するものである。
【背景技術】
【０００２】
従来から，ボックスと前面枠とを備えた構成の分電盤は，例えば特許文献１に示したように，通常，該前面枠がボックスに螺着されて取り付けられている。
このような前面枠を備えた分電盤を壁面などに取り付け施工する場合，まず，該分電盤を構成するボックスを，該分電盤を取り付ける壁面などに，所定の取り付け螺子により固定し，該ボックス内に，遮断器などを集合して取付ける基板を取り付け収容し，該基板に遮断器を載置し各種配線を行い，その後前記前面枠を前記ボックスに螺着取り付けするよう施工する。
【特許文献１】特開２００５−８６９３８号公報
【発明の開示】
【発明が解決しようとする課題】
【０００３】
ところで，ボックスに前面枠を螺着する構成の分電盤においては，その分電盤を構成する材質が金属である場合が多く，そのため個々の構成部品の重量が大きくなり，分電盤の施工にあたり多大な労力を要することが多い。
【０００４】
前面枠の取り付けにあたっては，前記ボックスには前記前面枠を螺着するための螺子穴が，また，前記前面枠には螺子の胴体部を貫通させるための孔がそれぞれ対応する位置に設けられており，各々の前記螺子穴と前記孔の位置が合うように，前記前面枠の位置を調整し，位置合わせの後に手で前記前面枠を保持しつつ螺子を締め付け，該前面枠の取り付け作業を行う。
【０００５】
このとき，分電盤は通常立てた状態で施工されるため，前面枠がその自重により下方に下がるため前述した位置合わせを行いつつ螺子締めを行う作業は困難を伴う場合が多かった。特に分電盤に収容する遮断器の数が多い場合など該分電盤のサイズが大型である場合には，前述した位置合わせが困難であるばかりでなく，前面枠を螺着する螺子止めを仕損じ，下に落下した場合などに螺子を拾う際に，予め支えておいた前面枠が作業者に倒れかかるおそれがあるなど危険を伴い，分電盤の施工作業の効率が悪く，また，施工作業が危険であるという課題があった。
【０００６】
そこで，本発明は，ボックスに前面枠を螺着する構成の分電盤において，該前面枠のボックスへの取り付け作業性を分電盤の大きさに関らず向上でき，なおかつ該前面枠のボックスへの取り付け作業を安全に行うことができる分電盤を提供することを目的とする。
【課題を解決するための手段】
【０００７】
前記目的は、本発明によれば、遮断器を集合して取り付けた基板を内部に収容し前面が開口したボックスと，前記ボックスの前面に螺着される前面枠と，前記前面枠に回動自在に軸支されるドアと，を備えた分電盤において，
前記ボックスに被係合部が形成されるとともに前記前面枠には係合部が一体に形成され，
前記ボックスに前記前面枠を螺着する際に，前記被係合部及び前記係合部が互いに対応して該ボックスに前面枠を一時的に保持させる仮保持手段が備えられたことを特徴とする分電盤。によって達成される。
【０００８】
これにより，ボックスに前面枠を螺着する構成の分電盤において，該前面枠のボックスへの取り付けの際に，該ボックスに前面枠を一時的に保持させることができるため，取り付け作業性を分電盤の大きさに関らず向上でき，なおかつ該前面枠のボックスへの取り付け作業を安全に行うことができる分電盤を提供することができる。
【０００９】
また，前記仮保持手段は，前記ボックスに設けられた被係合部と，前記前面枠に設けられた係合部とを前記前面枠の自重で互いに掛合わせる掛合部により形成されたことを特徴として構成してもよい。
【００１０】
これにより，前面枠をボックスに取り付ける際に，まず，前面枠とボックスとを互いに掛合わせることにより，ボックスの側に前面枠を一時的に保持させることができるため，取り付け作業性を分電盤の大きさに関らず向上でき，なおかつ該前面枠のボックスへの取り付け作業を安全に行うことができる分電盤を提供することができる。
【００１１】
また，前記仮保持手段は，前記仮保持手段は，前記ボックスに設けられた被係合部と該被係合部に嵌め込み係合される前記前面枠に設けられた弾性部材からなる嵌め込み部とからなる嵌め合い部により形成されたことを特徴として構成してもよい。
【００１２】
これにより，前面枠をボックスに取り付ける際に，前面枠をボックスの側に押し込み，嵌め合わせることにより，ボックスの側に前面枠を一時的に保持させることができるため，取り付け作業性を分電盤の大きさに関らず向上でき，なおかつ該前面枠のボックスへの取り付け作業を安全に行うことができる分電盤を提供することができる。
【００１３】
削除
【００１４】
削除
【発明の効果】
【００１５】
本発明の分電盤によれば，前面枠をボックスに取り付ける際において，前面枠の位置合わせの困難性や，該前面枠が作業者に倒れかかる危険性がなく，該前面枠のボックスへの取り付け作業性を分電盤の大きさに関らず向上でき，なおかつ該前面枠のボックスへの取り付け作業を安全に行うことができる分電盤を提供することができる。
【発明を実施するための最良の形態】
【００１６】
以下、添付の図１乃至図１４を参照して、本発明の分電盤の実施形態について詳細に説明する。
【００１７】
図１は本発明の分電盤１００の外観を示す図である。分電盤１００の外観は，ボックス１０３と，該ボックス１０３の前面に螺着される前面枠１０１と，該前面枠１０１に設けられた軸部１０４により前面枠１０４に回動自在に軸支されるドア１０２とにより構成されている。
【００１８】
ボックス１０３は，分電盤１００の上下左右の側面及び背面を覆うものであり，内部には遮断器を集合して取り付けた基板を収容し，前面が開口している。
【００１９】
前面枠１０１は，前記ボックス１０３の前面の開口部の周縁を覆うものであり，該ボックスに対して螺子を用いて螺着される。
【００２０】
ドア１０２は，前記前面枠１０１に設けられた軸部１０４により回動自在に軸支され，内部の遮断器を操作する際などには開操作し，通常使用状態においては前記開口部を覆うよう閉操作できるよう，前面には操作用取っ手１０２１が設けられたものである。
【００２１】
図２は，分電盤１００のドア１０２を取り去った状態を前面側から臨んだ図である。
【００２２】
１０６１は前記ボックス１０３内部に収納される遮断器である主開閉器，１０６２は前記主開閉器から電源が分配され各々の負荷回路に電源を供給する分岐開閉器，１０６３は分電盤１００の設置場所に応じて必要な場合に設けられる電流制限器の載置スペースである。
【００２３】
１０５は，保護板であり，前記ドア１０２を開いた状態で，前記遮断器のハンドル開閉操作を外部から内部の充電部に触れないで安全に行うことができるように設けた覆いである。
【００２４】
１０１５は，螺子であり，前記前面枠１０１をボックス１０３に螺着するためのものである。該螺子の螺着位置においては，前記前面枠１０１側には該螺子１０１５の胴体部が貫通する程度の孔が設けられており，前記ボックス１０３側には該螺子をねじ止めするための螺子孔が設けられている。
【００２５】
次に，図３乃至図１４は，分電盤１００に設けられた仮保持構造の部分を示したものである。それぞれ詳細に説明を行う。
【００２６】
図３は本発明の第一の実施例を示したものである。図３には，ボックス１０３に，前面枠１０１を仮保持させた場合の，分電盤１００の天面部付近における断面図を示しており，図中１０３１は，ボックス１０３の筐体の端部を折り曲げ加工し形成した略Ｊ字状の掛合部である。該掛合部１０３１と，前記前面枠１０１の一部が互いに掛かり合うことにより仮保持構造を構成している。
【００２７】
図４は本発明の第二の実施例を示したものである。図４には，ボックス１０３に，前面枠１０１を仮保持させた場合の，分電盤１００の天面部付近における断面図を示しており，図中１０３２は，ボックス１０３の筐体の端部に取り付けた略Ｊ字状の掛合部である。該掛合部１０３２と，前記前面枠１０１の一部が互いに掛かり合うことにより仮保持構造を構成している。
【００２８】
本実施例においては，前記略Ｊ字状の掛合部１０３２は，ボックスの端部に溶接されて取り付けられて構成されている。
【００２９】
これらの場合，分電盤１００の設置作業にあたり，前面枠１０１をボックス１０３に取り付ける際に，まず，該前面枠１０１と該ボックス１０３とを互いに掛合わせることにより，ボックス１０３の側に前面枠１０１を一時的に保持させることができるため，取り付け作業性を分電盤の大きさに関らず向上させることができる。また，該前面枠１０１と該ボックス１０３とを互いに掛合わせた状態で，手を離したとしても，前記前面枠１０１は，前記ボックス１０３に掛かり合うことにより保持されているため，前面枠が倒れかかってくるという危険性がなく，作業の安全性を確保した状態で設置作業を行うことができる。
【００３０】
図５は本発明の第三の実施例を示したものである。図５には，ボックス１０３に，前面枠１０１を仮保持させた場合の，分電盤１００の天面部付近における断面図を示しており，前面枠１０１に設けられた略Ｌ字状の差込片１０１１がボックス１０３に設けられた孔部１０３３に差し込まれることにより仮保持が行われるものである。
【００３１】
なお，図６に示したように，前記差込片１０１１には，差込み操作を行いやすくするために斜めにテーパ処理した先端部１０１２と，ボックス１０３側と掛かり合うための突起部１０２２が設けられている。また，図７に示したように，ボックス１０３の前面部には，前記差込片１０１１を差込可能に設けられた孔部１０３３が設けられている。該孔部１０３３は，ボックスの天地方向に対して，中央部よりもやや上方に設けられている。
【００３２】
さて，分電盤１００の設置作業にあたり，前面枠１０１をボックス１０３に取り付ける際に，まず，ボックス１０３に前面枠１０１をあてがうようにして，該前面枠１０３に設けられた差込片１０１１をボックス１０３に設けられた孔部１０３３に差込む。
【００３３】
このとき，差込片１０１１の先端部１０１２は，斜めにテーパ処理されてあるため，前面枠１０１をボックス１０３の方向に押し当てるようにすることで，ボックス１０３に設けられた孔部１０３３と，前記差込片１０１１の上下方向の位置関係が多少ずれていたとしても，孔部１０３３の下端に，前記先端部１０１２の先端部１０１２が導かれ，該先端部１０１２の斜めにテーパ処理された部分がボックス１０３の孔部１０３３の下端を乗り越えた後は，段違いに形成された突起部１０１２により，前記前面枠１０１が前記突起部１０１２の大きさだけ下面方向に落ち込み，互いに掛かり合う。
【００３４】
これにより，ボックス１０３の孔部１０３３に，前面枠１０１に設けられた差込片１０１１を差込む際に厳密な位置合わせ作業を必要とせず，より簡易に前面枠１０１のボックス１０３への取り付け作業を行うことができる。
【００３５】
したがって，分電盤１００の設置作業にあたり，ボックス１０３の孔部１０３３に，前面枠１０１に設けられた差込片１０１１を差込み，まず，該前面枠１０１と該ボックス１０３とを互いに掛合わせることにより，  ボックス１０３の側に前面枠１０１を一時的に保持させることができるため，取り付け作業性を分電盤の大きさに関らず向上させることができる。また，該前面枠１０１と該ボックス１０３とを互いに掛合わせた状態で，手を離したとしても，前記前面枠１０１は，前記ボックス１０３の孔部１０３３の下端に前記差込片１０１１の突起部１０１２が掛かりあい保持されているため，前面枠が倒れかかってくるという危険性がなく，作業の安全性を確保した状態で設置作業を行うことができる。
【００３６】
図８は本発明の第４の実施例を示したものである。図８には，ボックス１０３に，前面枠１０１を仮保持させた場合の，分電盤１００の側面部付近における断面図を示しており，ボックス１０３に設けられた弾性部材１０３４（鎖状ばね）を介して，前記ボックス１０３と前記前面枠１０１とを互いに緩嵌させることにより仮保持が行われるものである。
【００３７】
前記弾性部材１０３４は，一端部を前記ボックス１０３に溶接により取り付けられ，他端部には前面枠１０１がボックス１０３側にあてがわれた場合に撓みながら当接する当接部１０３４１と，前記前面枠１０１がボックス１０３側にあてがわれた場合において，厳密な位置合わせを行わなくとも所定の位置に誘い込むための誘い部１０３４２とを設けて構成されている。
【００３８】
なお，本実施例では，前記弾性部材１０３４は，分電盤１００の左右各々の側面部につき，天地方向に各２箇所設けている。
【００３９】
したがって，分電盤１００の設置作業にあたり，ボックス１０３に対して，だいたいの位置にて前面枠１０１をボックス１０３にあてがい，押し込むと，前記弾性部材１０３４が撓むことにより，適度な反発力で前面枠１０１を緩嵌状態にて保持する。これにより，ボックス１０３の側に前面枠１０１を一時的に保持させることができ，取り付け作業性を分電盤の大きさに関らず向上させることができる。また，該前面枠１０１と該ボックス１０３とを互いに緩嵌させた状態で，手を離したとしても，前記前面枠１０１は，前記ボックス１０３に保持されているため，前面枠が倒れかかってくるという危険性がなく，作業の安全性を確保した状態で設置作業を行うことができる。
【００４０】
図９は本発明の第５の実施例を示したものである。図９には，ボックス１０３に，前面枠１０１を仮保持させた場合の，分電盤１００の側面部付近における断面図を示しており，前面枠１０１に設けられた弾性部材１０３５（鎖状ばね）を介して，前記ボックス１０３と前記前面枠１０１とを互いに緩嵌させることにより仮保持が行われるものである。
【００４１】
前記弾性部材１０３５は，一端部を前記前面枠１０１に溶接により取り付けられ，他端部には前面枠１０１がボックス１０３側にあてがわれた場合に撓みながら当接する当接部１０３５１と，前記前面枠１０１がボックス１０３側にあてがわれた場合において，厳密な位置合わせを行わなくとも所定の位置に誘い込むための誘い部１０３５２とを設けて構成されている。
【００４２】
したがって，分電盤１００の設置作業にあたり，ボックス１０３に対して，だいたいの位置にて前面枠１０１をボックス１０３にあてがい，押し込むと，前記弾性部材１０３４が撓むことにより，適度な反発力で前面枠１０１を緩嵌状態にて保持する。これにより，ボックス１０３の側に前面枠１０１を一時的に保持させることができ，取り付け作業性を分電盤の大きさに関らず向上させることができる。また，該前面枠１０１と該ボックス１０３とを互いに緩嵌させた状態で，手を離したとしても，前記前面枠１０１は，前記ボックス１０３に保持されているため，前面枠が倒れかかってくるという危険性がなく，作業の安全性を確保した状態で設置作業を行うことができる。
【００４３】
なお，本実施例では，前記弾性部材１０３５は，分電盤１００の左右各々の側面部につき，天地方向に各２箇所設けている。
【００４４】
図１０は本発明の第６の実施例を示したものである。図１０には，ボックス１０３に，前面枠１０１を仮保持させる場合の，分電盤１００の天面部付近における断面図を示しており，前面枠１０１に設けられた弾性部材１０３６（突設部）を介して，前記ボックス１０３に設けられた嵌め合い部１０３６２と前記前面枠１０１とを互いに緩嵌させることにより仮保持が行われるものである。前記突設部は金属にて形成されており，また，図１１には前記突設部を樹脂材料にて一体形成した例を示している。
【００４５】
前記弾性部材１０３６は，図に示したように，一端部が前記前面枠１０１に取り付けられ，他端の方向における略中央部には膨らみを有した膨張部１０３６１を有している。
【００４６】
ボックス１０３の，前記弾性部材１０３６に対応する部分には，該弾性部材１０３６が緩嵌状態に貫通する程度に形成された孔部が形成された嵌め合い部１０３６２設けられている。本実施例においては，該孔部は，前記螺子が螺着される螺子孔の近傍に設けている。
【００４７】
したがって，分電盤１００の設置作業にあたり，ボックス１０３の前記孔部において前面枠１０１をあてがい，押し込むと，前記弾性部材１０３６の膨張部１０３６１が撓むことにより，ボックス１０１に設けられた前記孔部に嵌まり込み，前面枠１０１を緩嵌状態にて保持する。これにより，ボックス１０３の側に前面枠１０１を一時的に保持させることができ，取り付け作業性を分電盤の大きさに関らず向上させることができる。また，該前面枠１０１と該ボックス１０３とを互いに緩嵌させた状態で，手を離したとしても，前記前面枠１０１は，前記ボックス１０３に保持されているため，前面枠が倒れかかってくるという危険性がなく，作業の安全性を確保した状態で設置作業を行うことができる。
【００４８】
なお，本実施例では，前記弾性部材１０３６は，分電盤１００の天面部のおける左右に２箇所設けている。
【００４９】
図１２，図１３，図１４は本発明の第７の実施例を示したものである。図１２は，ボックス１０３に，前面枠１０１を仮保持させた場合の外観図であり，図１３は，ボックス１０３に，前面枠１０１を仮保持させた場合の，分電盤１００の天面部付近における断面図を示しており，前面枠１０１に設けられた第一の孔部１０３７１と，該前面枠１０１をボックス１０３に螺着する螺子１０１５とが掛合することにより，前記ボックス１０３と前記前面枠１０１とを仮保持を行うものである。
【００５０】
前記仮保持手段は，前記前面枠１０１をボックス１０３に螺着する螺子１０１５と，該螺子１０１５の螺着位置（螺子設置部１０１６）近傍において前記前面枠１０１に設けられた，前記螺子１０１５の胴体部が貫通可能な程度の第一の孔部１０３７１と，該第一の孔部１０３７１とは偏心させた位置に一体に設けられた前記螺子１０１５の螺子頭が貫通可能な程度の第二の孔部１０３７２と，から構成され，前記螺子１０１５と前記第一の孔部１０３７１とが掛合することにより仮保持される（図１４）。
【００５１】
したがって，分電盤１００の設置作業にあたり，予め，前記螺子設置部１０１６に螺子１０１５を緩くねじ込んでおいた状態で，ボックス１０３に前面枠１０１をあてがい，前記螺子頭を前記第二の孔部１０３７２に通すことにより，前記第一の孔部１０３７１が，螺子１０１５の胴体部と引っ掛かり，ボックス１０３と，前面枠１０１とが掛合状態にて保持される。これにより，ボックス１０３の側に前面枠１０１を一時的に保持させることができ，取り付け作業性を分電盤の大きさに関らず向上させることができる。また，該前面枠１０１と該ボックス１０３とを互いに掛合させた状態で，手を離したとしても，前記前面枠１０１は，前記ボックス１０３に保持されているため，前面枠が倒れかかってくるという危険性がなく，作業の安全性を確保した状態で設置作業を行うことができる。
【００５２】
なお、本発明は、実施の形態に限定されることなく、発明の要旨を逸脱しない限りにおいて、適宜、必要に応じて、改良や設計変更は自由であり、例えば、係合部や弾性部材の位置は，ボックスの天面側や側面側などに適宜設計されてよく，係合部や弾性部材の数も適宜定めてよい。
【００５３】
また，螺子を取付けた後に，前記螺子１０１５の螺子頭に，前記第一の孔部１０３７１及び第二の孔部１０３７２を隠すよう，該螺子頭よりも径が大きい覆い（穴隠し，化粧キャップ）を取付けてもよい。これにより前記第一の孔部１０３７１及び第二の孔部１０３７２が露望せず，デザイン的に優れた特徴を有する。また，螺子頭などに手などが接触した場合に，該螺子端部で怪我をするおそれが軽減でき，安全面においても配慮できる作業性のよい分電盤を提供することができる。
【００５４】
また，前記覆いに磁石を備えて構成することにより，螺子頭に被せることで，覆いを螺子に吸着させることができるため，簡易に覆いを取付けることができ，作業性のよい分電盤を提供することができる。
【００５５】
以上説明したように、本発明の分電盤によれば，前面枠をボックスに取り付ける際において，前面枠の位置合わせの困難性や，該前面枠が作業者に倒れかかる危険性がなく，該前面枠のボックスへの取り付け作業性を分電盤の大きさに関らず向上でき，なおかつ該前面枠のボックスへの取り付け作業を安全に行うことができる分電盤を提供することができる。
【図面の簡単な説明】
【００５６】
【図１】分電盤１００の外観を示す図である。
【図２】分電盤１００のドア１０２を取り去った状態を前面側から臨んだ図である。
【図３】ボックス１０３に，前面枠１０１を仮保持させた場合の，分電盤１００の天面部付近における断面図である。
【図４】ボックス１０３に，前面枠１０１を仮保持させた場合の，分電盤１００の天面部付近における断面図である。
【図５】ボックス１０３に，前面枠１０１を仮保持させた場合の，分電盤１００の天面部付近における断面図である。
【図６】差込片１０１１付近を示した図である。
【図７】ボックス１０３の前面部に設けた孔部１０３３を示した図である。
【図８】ボックス１０３に，前面枠１０１を仮保持させた場合の，分電盤１００の側面部付近における断面図である。
【図９】ボックス１０３に，前面枠１０１を仮保持させた場合の，分電盤１００の側面部付近における断面図である。
【図１０】ボックス１０３に，前面枠１０１を仮保持させる場合の，分電盤１００の天面部付近における断面図である。
【図１１】膨張部１０３６１としての他の例を示した図である。
【図１２】ボックス１０３に，前面枠１０１を仮保持させた場合の外観図である。
【図１３】ボックス１０３に，前面枠１０１を仮保持させた場合の，分電盤１００の天面部付近における断面図である。
【図１４】前面枠における第一の孔部と，第二の孔部付近を示した外観図である。
【符号の説明】
【００５７】
１００  分電盤
１０１  前面枠
１０２  ドア
１０３  ボックス
１０４  軸部
１０５  保護板
１０６１  主開閉器
１０６２  分岐開閉器
１０６３  電流制限器
１０３１  掛合部
１０３２  掛合部
１０３３  孔部
１０１１  差込片
１０１２  先端部
１０１２１  突起部
１０３４  弾性部材
１０３４１  当接部
１０３４２  誘い部
１０３５  弾性部材
１０３５１  当接部
１０３５２  誘い部
１０３６  弾性部材
１０３６１  膨張部
１０３７１  第一の孔部
１０３７２  第二の孔部
１０１５  螺子
１０１６  螺子設置部
【図１】
0005115962.tif 000002
【図２】
0005115962.tif 000003
【図３】
0005115962.tif 000004
【図４】
0005115962.tif 000005
【図５】
0005115962.tif 000006
【図６】
0005115962.tif 000007
【図７】
0005115962.tif 000008
【図８】
0005115962.tif 000009
【図９】
0005115962.tif 000010
【図１０】
0005115962.tif 000011
【図１１】
0005115962.tif 000012
【図１２】
0005115962.tif 000013
【図１３】
0005115962.tif 000014
【図１４】
0005115962.tif 000015